(57)【特許請求の範囲】
【請求項１】
一定の幅と長手方向をもち上下両端開口と上下方向に長さを具備した誘電空間を内包する導電材でなる誘電極と、その誘電空間の前記長手方向を共有する上下方向の中心線の延長上に前記上端開口と対峙し一定の上下距離を保ち前記長手方向と同じ長さの導電材でなる放電極を設け、両極に互いに相反する極性の電荷を付加し、誘電空間の下方開口から前記一定の幅と長手方向をもつ膜状の電子シャワーを連続して放出させるよう構成した電子発生装置において、電子シャワーを放出する二、または複数組の電子発生装置で構成し、下方開口の長手方向で互いに平行に配置し、これら電子シャワーの放出口を互いの長手方向に近接させ、かつ、これら電子シャワーの放出する中心線の延長が互いに交差するように構成したことを特徴とした電子シャワー発生装置。
【発明の詳細な説明】
【技術分野】
【０００１】本発明はマイナス、またはプラスのイオン（以下単に電子という）を放出させる電子シャワー装置（以下単に電子シャワーという）に関する。詳しくは膜状に放出する電子シャワーによって周辺空間を分断させ、有形の壁やシート状カーテンなどの遮蔽材によらず、無形の電子シャワーによって遮蔽が必要な選択空間を創生するもので電子シャワーの吹出口に一定の幅と厚みを持たせ、電子シャワーの吹き出す誘導電極末端の長手方向に細い線状の末端電極を具備させたり、電子シャワーの吹き出す少なくとも２組、またはそれ以上の複数組の誘導電極を近接平行に併設させ、または近接平行に併設させた電子シャワーの放出延長線を互いに交差させ、少なくとも２組、または複数組の電子シャワーを任意位置に直接に交差、合流させることによって、より簡単に従来にない高い遮蔽面を得る電子シャワーに関する。
【背景技術】
【０００２】この発明に関する従来公知の技術は、たとえば［特許文献１］特開２００２−０９５９９８号公報があり、帯電エアーシャワーと称する荷電誘引空気の流れと局所排気装置との協働作用によって清浄な遮蔽空間を構築するとの説明がある。しかしながら、この局所清浄化システムでは電子風による誘引空気の流れの拡散によって到達距離の減衰を伴い遮蔽効果の及ぼす清浄化空間の大きさはきわめて限られたものとなってしまう。また本発明でいう吹出口の長手方向に近接平行させた複数の電子シャワーの放出延長上で互いに直接交差合流させることによって強力な前進成分を持った遮蔽面を得ようとするものではない。【０００３】また［特許文献２］特開２００１−３１７７８５号公報には除電機能と換気機能を併用した換気装置の記載があるが、本願でいう吹出口の長手方向に近接平行させた複数の電子シャワーの放出延長上で互いに直接交差合流させることによって強力な遮蔽面を得ようとするものではない。【０００４】次に［特許文献３］特開昭６０−１９７２５４号公報には空気電子含有量を制御する方法と装置で陽電子と陰電子の発生装置を周期的に制御して空気中の電子含有量の制御に関するものであって、これも本発明でいう吹出口の長手方向に近接平行させた複数の電子シャワーの放出延長上で互いに直接交差合流させることによって強力な遮蔽面を得ようとするものではない。【０００５】次に［特許文献４］特開昭６１−２２０７４７号公報には線状陰極の軸心に平行、左右対称の平板上の陽極に陰極部に設けた空気吸込口から左右に分流した空気の汚れを陰極に沈着させるようにした静電式空気清浄器に関するものであって、これも本発明でいう吹出口の長手方向に近接平行させた複数の電子シャワーの放出延長上で互いに直接交差合流させることによって強力な遮蔽面を得ようとするものではない。【０００６】次に［特許文献５］実開平３−１９５２３号公報には天井部の空気吹き出しとテーブル、または下部床面に設けた吸気口との組み合わせによる喫煙ユニットに関するもので、これも本発明でいう吹出口の長手方向に近接平行させた複数の電子シャワーの放出延長上で互いに直接交差合流させることによって遮蔽面を得ようとするものではない。【０００７】次に［特許文献６］特開平２−１５９２７９号公報には自己調整型空気電子化装置と題して、電極に印加する高電圧発生装置と空気電子化装置の電圧調整に関する装置が開示されているが、本発明でいう吹出口の長手方向に近接平行させた複数の電子シャワーの放出延長上で互いに直接交差合流させることによって強力な遮蔽面を得ようとするものではない。
【発明の開示】
【発明が解決しようとする課題】
【０００８】従来技術は前記「背景技術」に記載のとおり、電子を併用した集じん気流を利用したり、その集じん気流をフィルターでろ過清浄するものであって、その集じんに必要な空気流を得るために所要動力が大きかったり、風車の回転音、風きり音などが騒音の原因となり、そのため設置場所には自ずから制約を受けざるを得なかった。【０００９】また、電子シャワーと称する複数の誘引風を周囲に組合せて包囲し清浄な遮蔽空間の構築や局所清浄化システムを得ようとするもので、電子シャワーによる周囲の誘引気流によって電子シャワーの前進成分は減衰し、その到達距離は制限されたものとなり必要な清浄な遮蔽空間を得るには大きさに制約を受けざるを得なかった。【００１０】また、この電子シャワーの流れを補強するために線状ではなく面状にすべく放電極と誘電極を共に細長く配置させる技術も存在するが、面状の電子シャワーの流れは、なお誘引気流により拡散され気流の進行成分の減衰は大きく、到達距離はなお数メートルの範囲を超える事はできない小さなものであった。
【課題を解決するための手段】
【００１１】そこで本発明の前には、誘電空間を内包した導電材でなる誘電極と、その誘電空間の中心線の延長上に配置された導電材でなる放電極と、これら両極に相反する極性の電荷を付加し放電極から誘電空間に電子シャワーを連続して放出させるように構成した電子発生装置であって、その誘電空間と放電極を互いに対峙した方向とは、ほぼ直交する方向に一定の長さを具備させた誘電空間と放電極を設け、その長さを有する誘電空間の中心方向に向かって貫通する面状の電子シャワーを連続して発生させ、前記誘電極の末端付近に誘電極の長手方向と平行に細い線状の末端誘電極を具備させて電子シャワーの前進成分を強化するものがあった。【００１２】また本発明の前には、誘電空間を内包した導電材でなる誘電極と、その誘電空間の中心線の延長上に配置された導電材でなる放電極と、これら両極に相反する極性の電荷を付加し放電極から誘電空間に電子シャワーを連続して放出させるように構成した電子発生装置であって、その誘電空間と放電極を互いに対峙した方向とは、ほぼ直交する方向に一定の長さを具備させた誘電空間と放電極を設け、その長さを有する誘電空間の中心方向に向かって貫通する面状の電子シャワーを連続して発生させ、これら電子シャワーの放出口を互いに長手方向に平行に近接させることによって、電子シャワーの前進成分を強化するものもあった。【００１３】本発明の前提になる参考図１、図２に示すように誘電極４ａ、４ｂ（以下、同じ構成名称は省略し符号のみ記載する）とその上下方向の中心線５ａ、５ｂの延長上に配置された放電極６ａ、６ｂをその誘電空間Ｂａ、Ｂｂと放電極６ａ、６ｂを互いに対峙した方向とは直交する長手方向Ｃａ、Ｃｂに一定の長さ７ａ、７ｂを有し間隙Ｇをもって平行近接して具備させ、誘電空間ＢａとＢｂの中心線５ａ、５ｂにそって貫通する面状の電子シャワーＤａとＤｂを平行に近接し併設することで、連続して平行に発生させるように構成したものがある。また、誘電極４ａと４ｂの末端には誘電極４ａと４ｂの長手方向ＣａとＣｂに平行して細い線状の末端誘電極１１ａと１１ｂを設け、電子シャワーＤａとＤｂの誘引性能を高めることもできる。【００１４】そこで本発明は、一定の幅と長手方向をもち上下両端開口と上下方向に長さを具備した誘電空間を内包する導電材でなる誘電極と、その誘電空間の前記長手方向を共有する上下方向の中心線の延長上に前記上端開口と対峙し一定の上下距離を保ち前記長手方向と同じ長さの導電材でなる放電極を設け、両極に互いに相反する極性の電荷を付加し、誘電空間の下方開口から前記一定の幅と長手方向をもつ膜状の電子シャワーを連続して放出させるように構成した電子発生装置において、同じ構成の電子発生装置を、それぞれの誘電空間の下方開口の前記長手方向で互いに近接平行に配置し、かつ膜状の電子シャワー放出の前進成分の中心面がその延長上で、互いに少なくとも鋭角の範囲内で直接に交差合流させる構成とすることによって、電子シャワーの前進成分をより安定的に、適材適所に対応、強化するものである。
【発明の効果】
【００１５】本発明に関連した従来技術は前記「背景技術」に記載のとおりであるが、元となる電子の飛散発生とその誘導に関する代表的なモデルを図６において説明する。ここでは針状または突起状の放電極１と、同じ中心線２に間隔をおいて長さのある誘電極３を配置し誘電極３の内部を誘電空間Ａとする。そして互いに相反する極性の高圧電気をそれぞれに荷電すると、プラズマ放電にいたる手前の電圧までは放電極１から誘電極３の内部の誘電空間Ａに向かって電子が放射される。放射された電子の一部は誘電極３に到達するが、また多くの電子は誘電空間Ａを貫通、通過して誘電極３の末端からも勢いよく放出される。放出された電子シャワーＤの流れは周囲空気の分子、空気中に存在するその他の匂い・悪臭などのガス分子、浮遊異物粒子、浮遊細菌などの混在した空気（以下単に空気という）を誘引し合流を繰り返し、次第に前進性能が減衰してゆく。【００１６】この電子の流れを成分の見えない遮蔽物とみなして従来技術がいくつか紹介されている。代表的な公知例を図７のおいて説明すると、針状突起１０を備えた放電極６と誘電極４は中心線５と直交する方向Ｃに長さを持たせ、したがって放電極６と誘電極４は方向Ｃに長さを持ち、電子の流れは方向Ｃに長さをもった幅の中心２を前記中心線５が共有する面状の電子シャワーＤになる。しかしながら前記誘引された電子の空気による流れ成分の減衰は大きく、産業上利用できる範囲、すなわち、たとえば空気の流れに換算した測定風速値は０．３ｍ／ｓくらいが低いところでの実用限度とされる。後にのべる実施例の装置からの到達距離は２．０ないし２．５ｍくらいである。【００１７】前記本発明においては、前記電子シャワーを二、または複数組の電子発生装置で構成し、下方開口の長手方向で互いに平行に配置し、これら電子シャワーの放出口を互いの長手方向に近接させ、かつ、これら電子シャワーの放出する中心線の延長が互いに交差するように構成したことを特徴とした電子シャワー発生装置で、これら電子シャワーの放出する中心線の延長が互いに交差することによって、誘電極から飛び出した電子の流れは周囲の空気分子を誘引しながら、なおも進行し、従来技術に比べ面状電子の流れの進行性能は格段に改善されたことが確認できる。【００１８】なお、本発明でいう二、または以上の複数組の前記電子シャワー発生装置で構成した場合の組み合わせでは、なお一層の増強された誘引気流の前進成分を生成し、誘電空間ＢａとＢｂの中心に向かって貫通する面状の電子シャワーＤａとＤｂを平行に近接しその延長上で交差合流することで、連続して強力に電子シャワーを発生させるように構成したものである。【００１９】また、図１、図２で述べた誘電極４ａと４ｂの末端には誘電極４ａと４ｂの長手方向ＣａとＣｂに平行して細い線状の末端誘電極１１ａと１１ｂを図３、図４においても同様に設け、電子シャワーＤａとＤｂの誘引性能を高めている。【００２０】また本発明は、図３に示すように誘電極４ａと４ｂ、その中心線５ａと５ｂの延長上に配置された放電極６ａと６ｂをその誘電空間ＢａとＢｂと放電極６ａ、６ｂを互いに対峙した方向とは直交する前記図２に記載と同じ長手方向ＣａとＣｂに一定の長さ７ａと７ｂをその中心線５ａと５ｂの延長上で互いに交差するように構成し、具備した誘電空間ＢａとＢｂのそれぞれ中心に向かって貫通する面状の電子シャワーＤａとＤｂの放射する延長線上のＥ点で交差合流し合体した一枚の面状の電子シャワーＤｃを連続して発生させるように構成したものであり、この交差合流により合体した面状の電子シャワーＤｃは前進性能が格段に向上し、たとえば、前述と同様にして装置からの到達距離は３．０ないし３．８ｍの、あるいはそれ以上に向上した。【００２１】また本発明の他の実施例は、図４、図５に示すように誘電極４ａと４ｂ、その中心線５ａと５ｂの延長上に配置された放電極６ａと６ｂを図示されていないが図３と同様にして、その誘電空間（Ｂａ、Ｂｂ）と放電極６ａと６ｂを互いに対峙した方向とは直交する前記図２に記載と同様の長手方向（ＣａとＣｂ）に一定の長さ（７ａと７ｂ）をその中心線５ａ、５ｂの延長線上で互いに交差するように構成して具備させ、誘電空間（ＢａとＢｂ）のそれぞれ中心に向かって貫通する面状の電子シャワーＤａとＤｂが交差合流させ合体して一枚の電子シャワーＤｃが連続して発生させるように、それぞれ独立した、＿公知の機構でもって構成すればよい。【００２２】本発明においては、いわゆる従来技術の電子エアーシャワーのように空気の流れを積極的には利用しない、すなわち空気を送るためのファンなどを必要条件として利用しないので、ファンなどによる強い空気流、すなわち風の音がせず、全く静かであり、ファン駆動のための騒音は無く、大きな駆動動力をも必要とせず、各放電極と誘電極に付加する電圧電力のみで運転でき、したがって所要電力はきわめて少なくてすみ、何より静粛できわめて経済的であることが挙げられる。【００２３】本発明は前提になる参考図１、図２に示すように誘電極４ａと４ｂ、その中心線５ａと５ｂの延長上に配置された放電極６ａと６ｂをその誘電空間ＢａとＢｂと放電極６ａと６ｂを互いに対峙した方向とは直交する長手方向ＣａとＣｂに一定の長さ７ａと７ｂを、それぞれ平行に接近して具備させ、誘電空間ＢａとＢｂのそれぞれ中心に向かって貫通する面状の電子シャワーＤａとＤｂが並行に近接させ、連続して発生できるように構成する事によって、近接平行して連続発生する電子シャワーＤａとＤｂの相乗効果により放出勢力は増強され、従来技術の、たとえば１枚の電子シャワーの実用的な到達距離が２ないし２．５ｍであったものが、本発明による近接平行した２枚の電子シャワーの交差合流により合体した面状の電子シャワーＤｃは前進性能が格段に向上し、実用的な到達距離が３ないし３．８ｍと、あるいはそれ以上に放出勢力は増強された。【００２４】また、図３に示すように誘電極４ａと４ｂ、その中心線５ａ、５ｂの延長上に配置された放電極６ａと６ｂをその誘電空間ＢａとＢｂと放電極６ａと６ｂを互いに対峙した方向とは直交する図１で示す長手方向ＣａとＣｂに一定の長さ７ａと７ｂを前記誘電空間Ｂａ、Ｂｂ内で上下方向の中心線５ａと５ｂの延長線上で互いに交差させ、かつ交差させる位置を任意に設定できる事によって周囲空間の種々な状況の変動に対処し、きわめて簡単に、増強された放出勢力の到達距離を得る事ができる。【００２５】そして誘電空間ＢａとＢｂのそれぞれ中心に向かって貫通する面状の電子シャワーＤａとＤｂが交差合流して合体した一枚の電子シャワーＤｃを連続発生させるようにしたことにより放出勢力は増強され、たとえば従来技術の、１枚の電子エアーシャワーの実用的な到達距離が２ないし２．５ｍであったものが、本発明による近接平行して連続発生する電子シャワーの交差合流による相乗効果により放出勢力は増強され、たとえば近接平行した２枚の電子シャワーが交差合流で合体した一枚の電子シャワーＤｃとなる事によって、電子シャワーの前進性能が格段に向上し、実用的な到達距離が３．０ないし３．８ｍと、あるいはそれ以上に放出勢力は増強された。
【発明を実施するための最良の形態】
【実施例】
【００２６】本発明の「請求項１」の実施形態の前提となる参考図を図１、図２において説明すると、誘電極４ａと４ｂ、その中心面５ａと５ｂの延長上に配置された放電極６ａと６ｂをその誘電空間ＢａとＢｂと放電極６ａと６ｂを互いに対峙した方向とは直交する方向ＣａとＣｂに一定の長さ７ａと７ｂを設け、それぞれ一定の間隔Ｇで、その中心線５ａと５ｂを平行のなるように構成して具備させ、誘導空間ＢａとＢｂのそれぞれ中心に向かって貫通する面状の電子シャワーＤａとＤｂを発生させ、たとえば誘電極４ａと４ｂにプラス、放電極６ａと６ｂにマイナスの電圧を連続した既知の荷電装置を用いて荷電させる。【００２７】誘電極４ａと４ｂの放電極６ａと６ｂとは反対側の末端部には長手方向ＣａとＣｂと平行にそれぞれ数本の細い線状の末端電極１１ａと１１ｂが電子シャワーＤａとＤｂの流れに抵抗にならないようにして電気的にも誘電極４ａと４ｂと連結し具備されており、丸材・平材・線材などのいずれの断面形状でも良いが、その表面は滑らかで電子シャワーＤａとＤｂの誘電性能を増し、流れを阻害せず電子シャワーＤａとＤｂの進行能力を増強する点でより望ましい。【００２８】次に本発明の実施例を図３、図４および図５において説明すると、放電極６ａ、６ｂには突起１０ａ、１０ｂを挟持、または溶接、その他の接合でよい。本発明の実施例では放電極６ａ、６ｂと誘電極４ａ、４ｂの上方開口端との間隔は約４０ｍｍ、誘電極４ａ、４ｂの内幅はそれぞれが８０ｍｍの誘電空間Ｂａ、Ｂｂを持ち、前記誘電極４ａ、４ｂの下方開口端における、図１、図２に図示の間隔Ｇと同様の相互の間隔は２０〜８０ｍｍ、誘電極４ａ、４ｂの図２に図示の長手方向７ａ、７ｂと同様の長手方向７ａ、７ｂは、それぞれ８５０ｍｍ、中心線５ａ、５ｂと平行な誘電極４ａ、４ｂの上下方向の長さが１００ｍｍである時、放電極６ａ、６ｂに２万ボルトのマイナス電荷を供給し、誘電極４ａ、４ｂに同じ２万ボルトのプラス電荷を供給する。これ以上電圧を高くすると空間でプラズマ放電を起し電流は上昇し、かつ電流値が不安定な状態になる。また、低い電圧では放出電子が少なく所望の電子発生量が得られない。【００２９】次に本発明の実施例を図３において説明すると、放電極６ａ、６ｂと誘電極４ａと４ｂとの共通の中心線５ａ、５ｂの延長線上で互いに交差させるように、それぞれの誘電極４ａと４ｂ、その中心線５ａ、５ｂの延長上に配置された放電極６ａ、６ｂをその誘電空間Ｂａ、Ｂｂと放電極６ａ、６ｂを互いに対峙した方向とは直交する図１で示す方向ＣａとＣｂに一定の長さ７ａと７ｂと同様にして図３、図４における中心線５ａ、５ｂの延長線上で互いに交差するように構成し、具備した誘電空間ＢａとＢｂのそれぞれ中心を下方に向かって貫通する面状の電子シャワーＤａとＤｂの放出延長線上がＥ点で交差合流して合体した一枚の膜状の電子シャワーＤｃを誘起形成させるべく、交差合流のＥ点の位置調節を任意に調整、維持するべく放電極６ａ、６ｂと誘電極４ａと４ｂ、その中心線５ａと５ｂを共に共有する偏向中心に、図示する、たとえばヒンジピン８とヒンジアーム１４ａ、１４ｂを誘電極４ａと４ｂに設け、また誘電極４ａと４ｂの他方にセットアーム１５ａ、１５ｂを偏向機構Ｒａ、Ｒｂの両端部の長穴に固定ネジ９ａ、９ｂで適宜固定し、偏向機構Ｒａ、Ｒｂは図示省略のボルトなどで、図３では図示省略のケースなどに適宜固定するようにすればよく、任意セットの実施方法は公知の種々の形態を採用でき、図面例示に限定されるものではない。【００３０】また、放電極６ａと６ｂと誘電極４ａと４ｂに荷電させる高圧電源装置はこれも公知の電源装置を適用可能である。【００３１】［図４］、［図５］は本発明の他の実施例を示し、図５は図４のＹ−Ｙ断面図を示すが、ケース２０の一側には人の手などが入らないようにした空気の流通自在の安全グリル２１が設けられ、他側には細長い底のない枠型の誘電極４ａ、４ｂとこれを絶縁留め具２５ａ、２５ｂを介して誘電極フレーム２４ａ、２４ｂが安全グリル２２ａ、２２ｂと共にネジ、あるいはロック用レバーを利用した図５に図示のグリル取り付け具２３でケース内に収納できるように取り付けられている。放電極６ａ、６ｂは誘電極４ａ、４ｂのそれぞれの中心線５ａ、５ｂの延長上に図示されていないが絶縁を保って誘電極４ａ、４ｂに取り付けられ、ケース２０内に設けられた放電極用弾力接点１６ａ、１６ｂおよび誘電極用弾力接点１７ａ、１７ｂにそれぞれの放電極がケース内に収容された状態で電気的に導通の状態に接合されるように具備されている。なお図３における誘電空間Ｂａ、Ｂｂは図４、図５においては同様で図示を省略している。【００３２】絶縁留め具２５ａ、２５ｂと誘電極フレーム２４ａ、２４ｂと安全グリル２２ａ、２２ｂとグリル取り付け具２３などについて図４、図５においては部位を示し、詳細は公知のもので実施できる。【００３３】ケース２０内には高圧電源装置１８が収納され前述の放電極用弾力接点１６ａ、１６ｂおよび誘電極用弾力接点１７ａ、１７ｂにそれぞれ必要電圧が図示されない配線でもって配電され、高圧電源装置１８付近のケース２０の外部には高圧電源部を操作するスイッチやボリュームつまみなどの必要な電気操作部品が設けられている。【００３４】またケース２０の他の側面には必要に応じ、吊り下げ具とか、壁などへの取り付け具などが取り付けられるが、両側の安全グリル２２ａ、２２ｂを閉鎖しないように考慮されなければならない。なお、本発明の実施にあたり、より良い効果を得るために電子シャワーの前進成分が誘引気流に拡大、分散により減衰する前の実用範囲で、その電子シャワーの前進成分が存在する距離に、吸引成分が低い、換言すれば低い吸引性能の排気設備を必要に応じ併設することは妨げないが、必要不可欠の要件ではない。
【産業上の利用可能性】
【００３５】本発明の最も大きな特徴は電子シャワーそのものが目の見えない、形のない、空気の流れすら感じる事がない位、ゆるやかで、しかも透明な電子の流れで必要空間を遮蔽することができることである。したがって、この発明は、遮蔽したい空間との間の、たとえば上方、天井などに実施例の本体を設置し下方に向けて  電子シャワーを放射させると、放射される電子は目に見えないがその向こう側との間には透明の幕があるがごとくに空気の流れは自由に往き来できないので、たとえば空気中に存在する匂い、悪臭、煙、浮遊微粒子などの排除、細菌に対する不活性化除菌など、静寂な環境下で遮断が実施できる。ただし、本発明の電子シャワーは電子の流れだけに頼るので電動機などを適用した風車、ファンのような風量、風圧はなく、電子シャワーの流れだけで目的を果たせるような室内、空気調節の風量などのきわめて少ない箇所に適用して本発明の実施効果が発揮出来る。【００３６】たとえば調理場と見通しのある、向かい合った客席、その間にある食卓台匂いは客席には流れないし、客席の各種匂いのたぐい、タバコの煙すら調理場には全く流れないし、天井に本発明の電子シャワーを設置すると特別な場所を取らず、しかもファンなど強制的な排気はその間にはないので風も感じないし、電力もきわめて極小である。もちろん調理場だけの、あるいは客席側の従来の換気扇はそのまま、本来の目的によって設備されておればよい。身近な例ではあるが全く音がないので、静かで匂いや煙などの往き来がなく、電子シャワーを物品の往き来に何の障害もない不思議な状態を具現させることができ、この実施例はいかにも分かりやすく本発明の特徴を説明できている。【００３７】すなわち本発明の実施は、動力を使用せず、運転騒音、不快なノイズなどが全く無いので、たとえば調理厨房室、喫煙室、薬品室、ミストや蒸気、ホコリなどの発生個所との遮断などには、静寂な環境のもとできわめて経済的に得られる。また人体などに触れても、その存在感はなく、人に全く不快感を与えないものである。【００３８】また本発明の特徴である電子シャワーの複数組の平行交差にそれぞれ電子シャワーの流出方向を可変交差できることを応用し、電子シャワーの設置位置はそのままで交差合流後の電子シャワーの流れ強さを増強できる。これは電子シャワーの設置場所に固有のわずかな気流がある場合に、その流れに抗して、あるいはその流れに合わせて特別な装置を設置せずして任意に必要な気流の強さを創出できる。【００３９】本発明の実施は、規模の大きなものでは、たとえば医学治療分野、医薬品製造管理分野、精密加工分野、食品製造貯蔵分野、脱臭室、香水製造調合分野など、外部風の存在しない、室内での補助的な、いわゆるクリーンルームへの適用にも用途を広げられるなど、産業上の利用の可能性はきわめて拡大するものと考察する。【００４０】また、電子シャワーの電子の流れに誘引された空気に含む異物質の排気を必要とするような場合でも、小規模の排気設備でよいので、その運転に伴う騒音、不快感は最低限に抑制され「人にやさしい」経済的にきわめて有効な環境を提供できる。
【図面の簡単な説明】
【００３９】
【図１】この発明の前提になる参考図
【図２】図１、Ｘ−Ｘ断面図
【図３】この発明の第１の実施例
【図４】この発明の第２の実施例
【図５】図４、Ｙ−Ｙ断面図
【図６】本発明の基礎となった原理説明図
【図７】本発明に関連する公知技術の説明図
【００４０】
【符号の説明】Ａ・・・誘電空間Ｂ、Ｂａ、Ｂｂ・・・誘電空間Ｃ、Ｃａ、Ｃｂ・・・長手方向Ｄ、Ｄａ、Ｄｂ、Ｄｃ・・・電子シャワーＥ・・・交点Ｒａ、Ｒｂ・・・偏向機構Ｇ・・・間隔１・・・放電極２・・・中心線３・・・誘電極４、４ａ、４ｂ・・・誘電極５ａ、５ｂ・・・・・中心線６、６ａ、６ｂ・・・放電極７ａ、７ｂ・・・・・長手方向８・・・ヒンジピン９ａ、９ｂ・・・固定ネジ１０、１０ａ、１０ｂ・・・突起１１ａ、１１ｂ・・・末端電極１３ａ、１３ｂ・・・ステイアーム１４ａ、１４ｂ・・・ヒンジアーム１５ａ、１５ｂ・・・セットアーム１６ａ、１６ｂ・・・放電極用弾力接点１７ａ、１７ｂ・・・誘電極用弾力接点１８・・・高圧電源装置１９・・・電源操作部２０・・・ケース２１・・・安全グリル２２ａ、２２ｂ・・・安全グリル２３・・・・・・・・グリル取り付け具２４ａ、２４ｂ・・・誘電極フレーム２５ａ、２５ｂ・・・絶縁留め具
【図１】
0004371086.tif 000002
【図２】
0004371086.tif 000003
【図３】
0004371086.tif 000004
【図４】
0004371086.tif 000005
【図５】
0004371086.tif 000006
【図６】
0004371086.tif 000007
【図７】
0004371086.tif 000008